(57)【要約】【課題】マウスの使用環境を拡大することにある。【解決手段】マウス１０は移動を検知する位置検出部３５、マウス１０を動作させるスイッチ３１、位置検出部３５で検知した移動に関するデータとスイッチ３１の操作に関するデータとを外部に無線送信するための無線通信部３７が装備された回路基板１９を有する。回路基板１９は電源４０とともに底部１４に保持される。底部１４には筐体１３が被せられる。圧力及び温度の変化に対する耐性及び強度を有する底部１４と筐体１３の内部空間内には回路基板１９と電源４０等が収容される。底部１４及び筐体１３の外表面全体は弾性、耐熱性及び耐水性を有する樹脂製のカバー１１で被覆される。それにより底部１４、筐体１３で区画された内部空間は密閉される。【選択図】  図２
2017079049.tif 000002
【特許請求の範囲】
【請求項１】
マウスの外形を形成する硬質樹脂製の外殻と、
前記外殻の外表面全体を覆う樹脂製のカバーと、
前記カバーの表面に配置され、前記マウスを動作させるスイッチと、
前記外殻の内部空間内に配置された電源と、
前記外殻の内部空間内に配置され、前記マウスの移動を検知する位置検出部と、
前記外殻の内部空間内に配置され、前記位置検出部及び前記スイッチからの信号を外部に無線送信する無線通信部と、
を具備するマウス。
【請求項２】
前記外殻は、前記内部空間内に前記位置検出部及び前記無線通信部を保持する底部と、前記底部に被せられる筐体と、からなる、請求項１記載のマウス。
【請求項３】
マウスの移動を検知する位置検出部、前記マウスを動作させる少なくとも一つのスイッチ、前記位置検出部で検知したマウスの移動に関するデータと前記スイッチの操作に関するデータとを外部に無線送信するための無線通信部が装備された回路基板を電源とともに保持し、圧力及び温度の変化に対する耐性及び強度を有する硬質樹脂製の底部と、
前記回路基板と前記電源とを収容する状態で前記底部に被せられ、圧力及び温度の変化に対する耐性及び強度を有する硬質樹脂製の筐体と、
前記底部及び前記筐体で区画された内部空間を密閉状態にするために前記底部及び前記筐体の外表面全体を覆う弾性、耐熱性及び耐水性を有する樹脂製のカバーと、
を具備するマウス。
【請求項４】
前記外殻又は前記底部及び前記筐体又は前記カバーは、断熱粒を混入されることを特徴とする請求項１〜３のいずれか１項記載のマウス。
【請求項５】
前記断熱粒は、セラミック真空ビーズ、中空シリコーンビーズ、中空ガラスビーズ、中空樹脂粒子、中空ナノシリカ等であることを特徴とする請求項４記載のマウス。
【請求項６】
前記外殻又は前記底部及び前記筐体又は前記カバーは、断熱粒が混入されていることを特徴とする請求項１又は３記載のマウス。
【請求項７】
前記断熱粒は、セラミック真空ビーズ、中空シリコーンビーズ、中空ガラスビーズ、中空樹脂粒子、中空ナノシリカ等であることを特徴とする請求項６記載のマウス。
【請求項８】
前記外殻又は前記底部及び前記筐体は、ＰＰＳ、ＰＥＳ又はＰＥＥＫ製であることを特徴とする請求項１〜３のいずれか１項記載のマウス。
【請求項９】
前記外殻又は前記底部及び前記筐体は、ガラスファイバよりなる固形物が混入されていることを特徴とする請求項１〜３のいずれか１項記載のマウス。
【請求項１０】
前記ガラスファイバは、シランカップリング処理されていることを特徴とする請求項９記載のマウス。
【請求項１１】
前記カバーは、シリコーンゴム又はフッ素ゴム製であることを特徴とする請求項１〜３のいずれか１項記載のマウス。
【請求項１２】
前記カバーは、透明性を有することを特徴とする請求項１〜３のいずれか１項記載のマウス。
【請求項１３】
前記外殻又は前記底部及び前記筐体に対して前記カバーがインサート成形により接合されていることを特徴とする請求項１〜３のいずれか１項記載のマウス。
【請求項１４】
前記外殻又は前記底部及び前記筐体は、ガラスファイバ又はカーボンファイバによる強化樹脂であり、前記ガラスファイバ又はカーボンファイバが部分的に露出され、
前記外殻又は前記底部及び前記筐体に対して前記カバーがインサート成形により接合されていることを特徴とする請求項１〜３のいずれか１項記載のマウス。
【請求項１５】
前記カバーは、前記外殻又は前記底部及び前記筐体に対してエポキシ系弾性接着剤により接着されることを特徴とする請求項１〜３のいずれか１項記載のマウス。
【請求項１６】
前記筐体と前記カバーとの間及び前記底部と前記カバーとの間には、接着シートが介在されることを特徴とする請求項１〜３のいずれか１項記載のマウス。
【請求項１７】
前記接着シートは、
前記外殻又は前記筐体及び前記底部を構成する樹脂と相溶性が高い樹脂に、無機繊維又は有機繊維を混入してなるシート、
和紙等の細くて柔軟な繊維、セルロースあるいはナノセルロース、炭素繊維、ガラスファイバ等の繊維を接合介在物として利用したシート、
特殊なレーザー加工でシート等に凹凸やアンダーカットを無数に設けたＰＰＳ樹脂接合材を使用したシート、
断熱粒や中空セラミックビーズ等を混入したシート、
ＰＰＳチューブを編み込んだシート、又は
セラミック中空ビーズ等を含んだ接着剤を用いたシート
よりなる請求項１６記載のマウス。
【請求項１８】
前記外殻と前記カバーとの間又は前記筐体と前記カバーとの間及び前記底部と前記カバーとの間には、断熱シートが介在されることを特徴とする請求項１〜３のいずれか１項記載のマウス。
【請求項１９】
前記外殻又は前記底部及び前記筐体に対して前記カバーがガラスファイバ又はカーボンファイバによる強化樹脂シートを媒介して接合されることを特徴とする請求項１〜３のいずれか１項記載のマウス。
【請求項２０】
前記外殻又は前記底部及び前記筐体で区画された内部空間に絶縁性樹脂が充填されていることを特徴とする請求項１〜３のいずれか１項記載のマウス。
【請求項２１】
前記位置検出部は、少なくとも２軸の加速度センサを有することを特徴とする請求項１〜３のいずれか１項記載のマウス。
【請求項２２】
前記電源は二次電池であり、
前記電源を充電するための非接触型充電回路をさらに備えることを特徴とする請求項１又は３記載のマウス。
【請求項２３】
前記電源は二次電池であり、
前記外殻と前記カバーとの間又は前記筐体と前記カバーとの間に配置された少なくとも一のソーラーパネルと、前記ソーラーパネルの出力で前記電源を充電する充電回路とを、さらに備えることを特徴とする請求項１又は３記載のマウス。
【請求項２４】
前記外殻又は前記筐体の一部に設置され、前記スイッチを操作するための少なくとも一つのボタンを有する、請求項１〜２３のいずれか１項記載のマウス。
【請求項２５】
前記ボタンは、硬質樹脂製である、請求項２４記載のマウス。
【請求項２６】
マウスの移動を検知する位置検出部、前記マウスを動作させる少なくとも一つのスイッチ、前記位置検出部で検知したマウスの移動に関するデータと前記スイッチの操作に関するデータとを外部に無線送信するための無線通信部が装備された回路基板を電源とともに保持する硬質樹脂製の底部と、
前記回路基板と前記電源とを収容する状態で前記底部に被せられる硬質樹脂製の筐体と、
前記筐体の一部に設置され、前記スイッチを操作するための少なくとも一つのボタンと、
前記底部、前記筐体、及び前記ボタンで区画された内部空間を密閉状態にするために前記底部、前記筐体及び前記ボタンの外表面全体を隙間無く一体として被覆する弾性、耐熱性及び耐水性を有する樹脂製のカバーと、
を具備するマウス。
【請求項２７】
マウスの移動を検知する位置検出部、前記マウスを動作させる少なくとも一つのスイッチ、前記位置検出部で検知したマウスの移動に関するデータと前記スイッチの操作に関するデータとを外部に無線送信するための無線通信部が装備された回路基板を電源とともに保持する底部と、
前記回路基板と前記電源とを収容する状態で前記底部に被せられる筐体と、
前記筐体の上部に配置され、前記スイッチを操作するための少なくとも一つのボタンと、
前記底部、前記筐体及び前記ボタンの外表面全体を隙間無く一体として被覆するカバーと、
を具備することを特徴とするマウス。
【請求項２８】
マウスの外形を形成する外殻と、
前記外殻の全体又は一部の外側を覆うカバーと、
前記カバーの表面に配置され、前記マウスを動作させるスイッチと、
前記外殻の内部空間内に配置された電源と、
前記外殻の内部空間内に配置され、前記マウスの移動を検知する位置検出部と、
前記外殻の内部空間内に配置され、前記位置検出部及び前記スイッチからの信号を外部に無線送信する無線通信部と、
前記外殻に設けられ、前記内部空間の圧力を調整する圧力調整弁機構と、
からなる、マウス。
【請求項２９】
前記圧力調整弁機構は、前記外殻の内部空間の圧力を自動的に排出する減圧弁と、前記内部空間に圧力を導入する手動の開閉弁とからなる、請求項２８記載のマウス。
【請求項３０】
前記スイッチは、前記カバーの外表面に設置され、外側から押し込むことにより前記マウスを操作させるタッチ型のスイッチである、請求項２８又は２９記載のマウス。
【請求項３１】
前記位置検出部および前記無線通信部は、前記外殻の前記内部空間内に配置される回路基板に設置されている、請求項２８〜３０のいずれか１項記載のマウス。
【請求項３２】
前記外殻は、筐体と、底部とからなる、請求項２８〜３１のいずれか１項記載のマウス。
【請求項３３】
前記外殻は、硬質樹脂製である、請求項２８〜３２のいずれか１項記載のマウス。
【請求項３４】
前記カバーは、弾性、耐熱性、及び耐水性を有する樹脂製である、請求項２８〜３３のいずれか１項記載のマウス。
【発明の詳細な説明】
【技術分野】
【０００１】
本発明はコンピュータの入力用デバイスとしてのマウスに関する。
【背景技術】
【０００２】
コンピュータの入力用デバイスとして複数種類のマウスがある。その中でも、操作者が直観的な操作が可能な光学式マウスが広く使用されている。光学式マウスは、その底面から光を照射し、机等で反射された反射光を内蔵する光センサで検出し、検出したデータをコンピュータに出力する。また、マウスの上面前方や側面のクリックボタンが押されたのを検知し、検知したデータをコンピュータに出力する。これにより、コンピュータのディスプレイ上のポインタが移動され、メニュー等の決定がなされる。
【０００３】
コンピュータは、多種多様な場所で使用されるようになった。それに伴って、コンピュータの入力装置であるマウスにも使用環境に応じた性能が要求されるようになっている。例えば船上、台所、及びお風呂場等の水を扱う環境でマウスを使用したいという要求がある。マウスは、その内部にＬＥＤ等の発光素子、イメージセンサや光カップリング等の光センサ、信号処理用ＩＣ、抵抗素子等の種々の電子回路が配置されている。電子部品は湿気に弱く、内部に水が浸入すると電子回路が損傷し、マウスが動作しなくなってしまう危険性がある。
【０００４】
さらに、例えば手術室内や魚や肉の調理現場等の清潔さが要求される場所でマウスを使用してパソコンを操作したいという要求も多い。特に近年では、心臓のカテーテル手術において、ＣＴデータを工業界のＣＡＤＣＡＭデータの様に手術中に活用するようになってきたり、歯科治療の現場にもＣＴスキャナが導入され、パソコン画面上に表示させたＣＴ画像で治療部位を視認しながら歯科治療を進める状況が増加してきており、手術の進行状況による画像の切り替え、視点や視線の移動、拡大処理等マウスを介してパソコンを操作する状況が増大している。処置室や手術室でマウスを使用するには感染防止のためにマウス自体を滅菌消毒することが必須である。例えば、２〜２．２気圧、１２１〜１３５℃で、２０分程度のオートクレーブ滅菌処理（高圧蒸気滅菌処理）が効果的である。しかしマウス損傷の危険性はマウスの滅菌処理を実質的に不可能にしている。
【０００５】
なお、マウスに関する文献としては、特開平９−３１９５１５号公報（特許文献１）が挙げられる。この特許文献１には、ボタンを操作する人の手で握られる上側マウスケースを抗菌処理された合成樹脂により形成したコンピュータ入力用マウスが記載されている。
【先行技術文献】
【特許文献】
【０００６】
【特許文献１】特開平９−３１９５１５号公報
【発明の概要】
【発明が解決しようとする課題】
【０００７】
特許文献１に記載されたマウスでは、ボタンを操作する人の手で握られる上側マウスケースを抗菌処理された合成樹脂により形成した構造であるが、上側マウスケースとボタンとの間には特別な密封手段が講じられていない。そのため、上記のように水を使用する環境で当該マウスを使用すると、上側マウスケースとボタンとの間から水がマウスの内部に浸入し、マウス内部の電子回路が損傷され、マウスが動作不能となる恐れがある。その結果、マウスの使用環境に制約がある。また、特許文献１のマウスの場合、マウスのカバーの構造が一重であり、また材質的にも耐熱性や耐圧性等において十分ではなく、外圧や温度の変化に耐えることが困難であるため、この点においても使用環境に制約がある。
【０００８】
本発明の目的は、マウスの使用環境を拡大することにある。
【課題を解決するための手段】
【０００９】
本発明の一実施形態に係るマウスは、移動を検知する検知回路、少なくとも一つのスイッチ、検知回路で検知した移動に関するデータとスイッチの操作に関するデータとを外部に無線送信するための送信回路が装備された回路基板を有する。回路基板は電源とともに硬質樹脂製の底部に保持される。底部には硬質樹脂製の筐体が被せられ、筐体と底部とで外殻が構成されており、それぞれ、外圧や温度の変化に十分耐え得る強度を有している。底部と筐体には回路基板と電源とが収容される。
【００１０】
外殻（又は筐体）の外側にカバーを設けることができ、その場合、外殻（又は筐体）とカバーとの間に、接着剤、または接着シート、あるいは断熱シート等を介在させることができるが、これらの接着剤、または接着シート、あるいは断熱シート等は、接合強度や、断熱性、耐圧性、遮熱性等のために、特別な材料で構成することができる。
【００１１】
１つの実施形態では、外殻（又は筐体）の上部には、スイッチを操作するための少なくとも一つの硬質樹脂製のボタンが密封状態で挿通されたり、断熱効果の損失を最小限とするために外殻（又は筐体）の一部が凹凸状に被圧変化することで内部のスイッチのオン・オフ動作を可能とすることもできる。
【００１２】
別の実施形態では、スイッチのボタンを外殻（又は筐体）に挿通するのではなくて、スイッチは、外殻（又は筐体）の表面に設置される表面配置型の防水スイッチとして構成され、この防水スイッチは外殻（又は筐体）に対して摺動運動せず、押し込みにより作動する。外殻（底部、筐体）及びボタンの外表面全体は、弾性、耐熱性及び耐水性を有するゴム、シリコーンゴム、樹脂製などのカバーで被覆される。それにより外殻（底部、筐体）及びボタンに区画された内部空間は密閉される。
【００１３】
断熱性等の向上のために樹脂に混入される微細粒子(断熱粒)としては、セラミック真空ビーズ、中空シリコーンビーズ、中空ガラスビーズ、中空樹脂粒子、中空ナノシリカ等の材料を使用することができる。
【００１４】
外殻（底部又は筐体）には、マウスの内部の圧力調整のための圧力調整弁機構を設けることができる。
【図面の簡単な説明】
【００１５】
【図１】図１は、第１実施形態に係るマウスの外観を示す斜視図である。
【図２】図２は、図１のＡ―Ａ断面図である。
【図３】図３は、図１のマウスの構成を示すブロック図である。
【図４】図４は、第２実施形態に係るマウスの断面を示す図である。
【図５】図５は、第２実施形態に係るマウスの他の実施例の断面を示す図である。
【図６】図６は、第３実施形態に係るマウスの断面を示す図である。
【図７】図７は、第３実施形態に係るマウスの他の実施例の断面を示す図である。
【図８】図８は、第４実施形態に係るマウスの外観を示す斜視図である。
【図９】図９は、図８のＢ−Ｂ断面図である。
【図１０】図１０は、第５実施形態に係るマウスの斜視図である。
【図１１】図１１は、図１０のＣ−Ｃ断面図である。
【図１２】図１２は、図１０のＤ−Ｄ断面で切断した表面配置型防水スイッチを、タッチピースの押し込み状態で示す拡大断面図である。
【発明を実施するための形態】
【００１６】
以下、図面を参照しながら本実施形態に係るマウスを説明する。以下の説明において、略同一の機能及び構成を有する構成要素については、同一符号を付し、重複説明は必要な場合にのみ行う。
【００１７】
（第１実施形態）
図１は、第１実施形態に係るマウス１０の外観を示す斜視図である。図２は、図１のマウス１０のＡ−Ａ断面図である。図３は、図１のマウス１０の構成を示すブロック図である。マウス１０は、操作者が表示画面上のカーソルの移動、メニューの決定等の指示をコンピュータに入力するためのマンマシンインターフェースとして機能する。
【００１８】
マウス１０は外殻（シェル）１２を有する。外殻１２は、複数の部材、ここでは底部１４と筐体１３とクリックボタン１５，１６とから構成される。ただし、外殻１２は、筐体１３と底部１４とのみから構成されてもよく、また、筐体１３と底部１４とよりなる構成以外の構成、例えば、全体を一体物として構成する構造、或いは、本実施形態における筐体１３と底部１４とは違う部分、例えば、外殻１２の高さ寸法の中間より高い位置や、マウス１０の長軸方向又は短軸方向で２分割またはそれ以上の分割数で分割される分割構造、更には、これら以外の他の様々な分割位置での２分割以上の分割構造などでもよい。
【００１９】
底部１４は硬質樹脂製の略楕円形板である。底部１４の上面には回路基板１９とともに電源部４０が保持される。回路基板１９には詳細は後述するが、移動を検知する検知回路、少なくとも一つのスイッチ、検知回路で検知した移動に関するデータとスイッチの操作に関するデータとを外部に無線送信するための送信回路が装備される。
【００２０】
筐体１３は、内側が中空の硬質樹脂製の略半楕円球体である。筐体１３は、回路基板１９と電源部４０とを収容した状態で底部１４に被せられる。筐体１３の上部には、少なくとも一つ、ここでは２つの位置において、後述の左右のスイッチ３１，３３を操作するための２つのクリックボタン１５，１６がそれぞれ密封状態で挿通されたり、断熱効果の損失を最小限とするために筐体の一部が凹凸状に被圧変化する。このように、筐体１３の一部が凹凸状に被圧変化することで内部のスイッチ３１、３３のオン・オフ動作を可能とする。クリックボタン１５，１６の内側には角柱体のクリックロッド１７，１８が接続される。クリックロッド１７，１８はそれぞれ２つの位置で筐体１３を密封状態で貫通して底部１４に向かって延設される。クリックロッド１７，１８の先端は、回路基板１９に実装された左右のスイッチ３１，３３に整合される。例えばクリックボタン１５が押下されると、クリックロッド１７を介してスイッチ３１が押される。後述のように、底部１４、筐体１３及びクリックボタン１５，１６の外表面全体は、弾性、耐熱性及び耐水性を有するゴム、シリコーンゴム、樹脂製などのカバー１１で被覆され、耐水性、マウス全体としての防水性、耐熱性、耐衝撃性を有するようになる。
【００２１】
外殻１２を構成する筐体１３、底部１４には、筐体１３用に使用する樹脂よりも耐熱性、強度のあるガラスファイバよりなる棒状材料あるいはアンダーカットを形成し易い形状の固形物を混入し成形する。また、これに用いられるガラスファイバは、筐体１３の主材料との接着性を得るためのシランカップリング処理をされていてもよい。次に、筐体１３の外面の全部あるいは一部を、レーザーや電磁波、光、炎、輻射熱、電動熱などで溶かしその表層を除去する。これにより、内包されていたガラスファイバなどが表面に露出する。ランダムに露出したガラスファイバは、この後、カバー１１を二重成形し、筐体１３に接合させるのに十分な嵌合力を持つ。
【００２２】
回路基板１９には、スイッチ３１，３３、位置検出部３５、無線通信部３７、制御部３９にそれぞれ対応する複数の電子部品が実装されている。電源部４０は、例えば乾電池、ボタン電池等の一次電池を有する。電源部４０は制御部３９等に電力を供給する。スイッチ３１，３３は、物理的な接触によりＯＮ／ＯＦＦ信号を発生する。
【００２３】
位置検出部３５は、典型的には、レーザーや、青色ＬＥＤ等よりなる発光素子とイメージセンサとを有する。発光素子は光を発生する。発光素子から発生された光は、前方レンズとプリズムからなる光学部品を通過して底部１４の透光部から出射する。底部１４の透光部から出射され、例えばマウスパッドで乱反射した光の一部が光学部品の後方レンズによりイメージセンサに結像する。位置検出部３５は、イメージセンサにより読み取られた前後の画像の変化からその移動方向と移動量とを計算する。位置検出部３５により計算されたマウス１０の移動方向と移動量とに関するデータは制御部３９に出力される。なお、発光素子とイメージセンサとに換えて、少なくとも２軸の加速度センサを備えてもよい。当該２軸の加速度センサの出力に基づいて、マウス１０の移動方向と移動量とが位置検出部３５により計算される。
【００２４】
無線通信部３７は、制御部３９の制御に従って、マウス１０の移動に関するデータとスイッチ３１，３３のＯＮ／ＯＦＦ信号とを繰り返しコンピュータの無線受信部に送信する。無線方式としては、赤外線方式、Bluetooth(登録商標)等の電波方式のいずれでも良い。また、無線方式は、人間が聞き取れる可聴域の音又は人間には聞き取りにくい高可聴域の音を利用した無線通信であってもよい。
【００２５】
底部１４、筐体１３及びクリックボタン１５，１６からなるマウス１０の外殻１２は、その全体がカバー１１により一様に覆われる。実際にはカバー１１は、底部１４、筐体１３及びクリックボタン１５，１６の外表面に密着する。組み立てられた底部１４、筐体１３及びクリックボタン１５，１６に対してカバー１１をインサート成形により接合することで、密着性、接合性が向上され得る。カバー１１は、弾性、耐熱性及び耐水性を有するゴム、シリコーンゴム、樹脂製などの材料で作ることができるが、本実施例のカバー１１は、ボタン操作性を確保するために弾性樹脂製である。弾性樹脂としては、天然ゴム、シリコーンゴム、ニトリルゴム、ウレタンゴム、フッ素ゴム等が挙げられるが、弾性の他に、耐熱性、耐水性、耐久性、透明性等の観点からシリコーンゴム製又はフッ素ゴム製であることが好ましい。さらにカバー１１の表面は、移動性を向上させるために潤滑処理されていてもよい。
【００２６】
底部１４、筐体１３及びクリックボタン１５，１６の外表面全体は隙間無く一体としてカバー１１に被覆される。それにより底部１４、筐体１３及びクリックボタン１５，１６により区画されたマウス１０の内部空間は完全に密閉される。カバー１１によりマウス１０の内部は、液体、さらに好ましくは気体に関して外界と完全に遮蔽される。
【００２７】
外殻１２を構成する筐体１３、底部１４、クリックボタン１５，１６は同じ硬質樹脂製であり、この硬質樹脂は、圧力及び温度の変化に対する耐性及び強度を有する。硬質樹脂としては、例えばポリエチレン（ＰＥ）、ポリプロピレン（ＰＰ）、ポリスチレン（ＰＳ）、アクリロニトリル／スチレン樹脂（ＡＳ）、アクリロニトリル／ブタジエン／スチレン樹脂（ＡＢＳ）、ポリ塩化ビニール（ＰＶＣ）等の汎用樹脂、ポリアミド（ＰＡ）、ポリアセタール（ＰＯＭ）、ポリカーボネート（ＰＣ）、変性ポリフェニレンエーテル（ＰＰＥ）、ポリエチレンテレフタレート（ＰＥＴ）等の汎用エンジニアリング樹脂、液晶ポリマー（ＬＣＰ）、ポリフェニレンサルファイド（ＰＰＳ）、ポリイミド（ＰＩ）、ポリエーテルサルフォン（ＰＥＳ）、ポリエーテルエーテルケトン（ＰＥＥＫ）、ポリテトラフルオロエチレン（ＰＴＦＥ）、ポリアミドイミド（ＰＡＩ）等のスーパーエンジニアリング樹脂が挙げられるが、耐圧性、耐熱性の観点からスーパーエンジニアリング樹脂製、典型的にはＰＰＳ、ＰＥＳ、ＰＥＥＫ、最も好ましくはＰＰＳである。
【００２８】
外殻１２の硬質性が高いことは、マウス１０としての形状の保持とともに外殻１２に収容される回路基板１９の保護に寄与する。また、カバー１１の弾性が高いことは、操作者によるカバー１１の上からのクリックボタン１５，１６の押下を容易にする。また、カバー１１の透明性が高いことは、操作者によるマウス１０の前後、クリックボタン１５，１６の視認性の向上を実現する。すなわち、高い弾性と高い透明性とを有する樹脂製のカバー１１と高い硬質性を有する樹脂製の外殻１２とにより、操作者によるマウス１０の操作性の向上が実現される。また、カバー１１の耐熱性と耐水性とが高く、外殻１２の耐熱性が高いことは、マウス１０の熱による滅菌処理を実現し得る。熱による滅菌処理には、例えばオートクレーブ滅菌処理及び乾熱滅菌処理等がある。オートクレーブ滅菌処理では、例えば、２〜２．２気圧、１２１〜１３５℃で、２０分程度の熱処理が行われる。乾熱滅菌処理では、例えば乾燥空気中で１８０〜２００℃で３０分間の加熱処理が行われる。
【００２９】
例えば、シリコーンゴムは、１５０℃超の環境下において特性に変化は生じず、さらに２００℃超の環境下でも連続１００００時間以上の使用に耐え得る。また、シリコーンゴムは、長時間、浸水した状態でも、冷水・温水・沸騰水など水の温度に関係なく吸水量は１％と低く、物理的な特性に影響を及ぼさない。また、スーパーエンジニアリング樹脂の１つであるＰＥＳは、その荷重たわみ温度は２００〜２１０℃を示し、その使用温度がＵＬ（Underwriters Laboratories Inc.：保険業者安全試験所）が策定する製品安全規格において、１８０〜１９０℃に認定されている。
【００３０】
また、例えば、シリコーン樹脂を使用すれば、シリコーン樹脂は、は硅素-酸素接合を骨格としたシロキサン接合からなり、炭素-炭素接合を骨格とする有機ゴム等の有機材料に比べて優れた耐熱性を有する。
【００３１】
すなわち、高い耐水性と高い耐熱性とを有する樹脂製のカバー１１と高い耐熱性を有する樹脂製の外殻１２とにより、オートクレーブ滅菌処理の過程で高温高圧水蒸気に暴露されても、マウス１０はその強度を維持し得る。そのため、使用する度に滅菌処理が必要な、例えば手術室内でのコンピュータの入力装置としてマウス１０は使用され得る。
【００３２】
なお、本実施形態は、硬質性樹脂として汎用樹脂及びエンジニアリング樹脂を適用すること及び弾性樹脂として他の樹脂を適用することを否定するものではなく、マウス１０の使用環境に応じてカバー１１を構成する弾性樹脂と外殻１２を構成する硬質性樹脂を、それぞれ複数種類の樹脂から選択すればよい。例えば、水が付着する可能性があるが高温環境下ではない台所及びお風呂場等であれば、カバー１１は、シリコーンゴムと同等程度の耐水性を有し、シリコーンゴムよりも耐熱性の低いニトリルゴム製でもよい。また、外殻１２は、エンジニアリング樹脂製またはポリ塩化ビニール（ＰＶＣ）等の汎用樹脂製でもよい。さらに、水が付着する可能性はないが、防塵性が要求される工場等であれば、カバー１１は耐水性が低く、耐熱性も低いウレタンゴム製でもよい。
【００３３】
（第２実施形態）
第２実施形態に係るマウス１０は、外殻１２に対してカバー１１を固定するための構造を備える。図４は、第２実施形態に係るマウス１０の断面を示す図である。図５は、第２実施形態に係るマウス１０の他の断面を示す図である。  
【００３４】
図４に示すように、カバー１１は外殻１２に対して接着剤２１により接着される。これにより、カバー１１は外殻１２に対して強固に接合される。外殻１２に対してカバー１１を強固に接合させることで、マウス１０が動かされる際の外殻１２に対するカバー１１の横ズレを抑制し、マウス１０の操作性の向上に寄与する。接着剤２１として実質的な接着強度を確保するためにエポキシ系の弾性接着剤が採用される。このエポキシ系の弾性接着剤は耐熱性も高くマウス１０の熱処理による接着強度の劣化を抑制することができる。
【００３５】
なお、外殻１２（すなわち、筐体１３及び底部１４）とカバー１１とを接着する方法の内、上記以外の他の幾つかの方法について説明する。
【００３６】
まず、接着剤２１としてエポキシ系接着剤を用いる方法は前述のとおりである。
【００３７】
また、別の１つの方法では、接着剤２１に外殻１２と同じ成分のシートを用いると、接着剤２１と外殻１２は容易に融着する。このシートの外面（カバー１１との接面）に二重成形時にカバー１１の材料が嵌合する機械的なアンダーカットをあらかじめ工作しておくことで、接合が完成する。
【００３８】
更に別の１つの方法では、外殻１２とカバー１１との間の接着剤２１の部分に、セルロース、ナノセルロースファイバ、カーボン繊維などの微細な繊維を介在させることで、外殻１２と当該繊維、カバー１１と当該繊維は強く嵌合し、外殻１２とカバー１１は強固な接着力を持ち、互いに強固に接着される。
【００３９】
また、別の方法においては、外殻１２とカバー１１との間の接着剤２１の部分に介在するシートの両面に、外殻１２とカバー１１に適した微細な繊維をあらかじめ植立しておくと更に強固な接着力を持つ二重成形が可能となる。
【００４０】
使用する温度環境の変化に従ってカバー１１の内部温度が変動する。カバー１１の内部温度が上昇すると、それに応じてカバー１１に充填されている気体の容積が増加する。気体の容積が増加すると内圧が上昇する。すると、カバー１１が外殻１２から剥離する可能性がある。この剥離の可能性は、外殻１２に対してカバー１１を接着剤２１により強固に接合させることで抑制できる。
【００４１】
さらに剥離の可能性を抑制させるために、マウス１０は、その内圧が基準温度（例えば２５℃）で大気圧よりも低くなるように製造することもできる。カバー１１の内部温度の上昇に伴って内圧が上昇しても、上昇した内圧が大気圧（１気圧）よりも低ければ、大気圧によりカバー１１は外殻１２に押し付けられるため、カバー１１が外殻１２から剥離する可能性が抑制される。なお、マウス１０は、カバー１１の内部が真空であってもよい。ただし、マウス１０の内部圧力は、クリックボタン１５，１６や、スイッチ３１，３３の押下げ動作や、復帰動作への悪影響の無い圧力にする必要がある。
【００４２】
また外殻１２を構成する筐体１３、底部１４、クリックボタン１５，１６で区画された内部空間に絶縁性樹脂を充填するものであってもよい。樹脂は、気体よりも熱膨張率が格段に低いので内圧上昇に起因するカバー１１の剥離可能性を効果的に抑制することができる。
【００４３】
カバー１１と外殻１２（筐体１３及び底部１４よりなる）との接合強度を向上するために、図５に示すように、外殻１２とカバー１１との間を接着シート２２で媒介させてもよい。接着シート２２は、筐体１３及び底部１４よりなる外殻１２を構成する樹脂と相溶性が高い樹脂に、無機繊維又は有機繊維を混入してなる。無機繊維としては、ガラス繊維、鋼繊維、炭素繊維等が挙げられる。有機繊維としては、オレフィン繊維、ポリビニルアルコール繊維、パルプ繊維、セルロース、ナノセルロースファイバ、その他麻等の天然繊維等があげられる。また、接着シート２２は、カバー１１を構成する樹脂と外殻１２を構成する樹脂との両方に対して相溶性の高い樹脂製であってもよい。接着シート２２は、外殻１２と同一の樹脂にガラス繊維を混入したシート、例えばガラス繊維が混入されたＰＰＳシートである。外殻１２を成形した後、外殻１２表面に接着シート２２を配置した状態で高温のシリコーンゴムを流す。シリコーンゴムの熱により、接着シート２２と外殻１２の表面とが溶ける。接着シート２２の樹脂と外殻１２の表面の樹脂とが互いに相溶することで、接着シート２２は外殻１２の表面と強固に接合される。また、接着シート２２が溶けた状態で、シリコーンゴムを流すことで接着シート２２に含有されたガラス繊維にシリコーンゴムが絡む。これにより、接着シート２２とカバー１１とが互いに強固に接合される。すなわち、外殻１２とカバー１１との間に接着シート２２を介在させた状態で外殻１２に対してカバー１１をインサート成形することで、外殻１２とカバー１１とは互いに強固に接合される。なお、相溶性により接着強度は増すが、相溶性による接合の他に、プライマーを用いる方法を、付随的にあるいは単独で用いてもよい。
【００４４】
また、接着シート２２としては、ＰＰＳ（ポリフェニレンサルファイド）を利用してもよく、さらには、和紙等の細くて柔軟な繊維、セルロースあるいはナノセルロース、炭素繊維、ガラスファイバ等の繊維を接合介在物として利用してもよい。また、ＰＰＳ樹脂の細い中空チューブを編み込んでシート状にしたＰＰＳシート、若しくは特殊なレーザー加工でシート等に凹凸やアンダーカットを無数に設けたＰＰＳ樹脂接合材を使用してもよい。さらに、接着シート２２の中に、断熱粒や中空セラミックビーズ等を混入し、接合強度の強化や、断熱性能の強化を行ってもよい。また、接着シート２２の断熱性を持たせるため、当該接着シート２２として、ＰＰＳチューブを編み込んだシートを用いたり、セラミック中空ビーズなどを含んだ接着剤を用いたりすることも有効である。
【００４５】
（第３実施形態）
また、例えばオートクレーブ滅菌時の高温から、電子部分である回路基板１９の上の電子機器や電子回路、電子素子及び電源部４０等を保護する必要がある。そのため、回路基板１９及び電源部４０を断熱材で包囲することも効果的である。第３実施形態に係るマウス１０は、断熱性を向上させるための構造を備える。図６は、第３実施形態に係るマウス１０の断面を示す図である。図７は、第３実施形態に係るマウス１０の他の断面を示す図である。
【００４６】
図６に示すように、外殻１２内の回路基板１９の全体を覆うように断熱シート２３が配置される。この断熱シート２３は主体繊維に断熱粒が混入されて構成される。主体繊維としては、ガラス繊維、パルプ繊維等が挙げられる。断熱粒としては、非常に高い熱反射率及び非常に低い熱伝導率により非常に高い断熱性能を備えるセラミック真空ビーズ、中空ガラスビーズ、中空樹脂粒子、中空ナノシリカ等があげられる。従って、外殻１２内の回路基板１９及び電源部４０を覆うように断熱シート２３を配置し、回路基板１９及び電源部４０の内部温度の上昇を抑制する。
【００４７】
また、断熱シート２３としては、断熱性能を持つ紙製の断熱材（断熱紙）を使用し、その断熱紙の中に、セラミック真空ビーズ、中空シリコーンビーズ、中空ガラスビーズ、中空樹脂粒子、中空ナノシリカ等の断熱粒等を混入してもよい。さらに、図６及び図７に示すように、特に、回路基板１９、位置検出部３５、無線通信部３７、制御部３９、電源部４０等の電子機器を断熱シート２３で包囲することは、断熱効果を高めることができる。その際、断熱シート２３を二重あるいは三重に包囲すれば、断熱効果はさらに高められる。
【００４８】
なお、断熱シート２３を配置する位置は上記に限定されない。図７に示すように、外界温度による内部温度の上昇を抑制するために、外殻１２とカバー１１との間に断熱シート２３が配置されてもよい。それにより上記と同様に内部温度の上昇を抑制し、また、例えばオートクレーブ滅菌時の高温から、電子部分である回路基板１９の上の電気子機器や電子回路、電子素子及び電源部４０等を保護することができる。さらに、断熱シート２３は、断熱効果に加え、外殻１２とカバー１１との間の接着性の向上という効果も併せて得ることができる。
【００４９】
また、外界温度による内部温度の上昇を抑制するために、外殻１２及びカバー１１のうち、少なくとも一方あるいは双方の樹脂にセラミック真空ビーズ、中空ガラスビーズ、中空樹脂粒子、中空ナノシリカ等の断熱粒を混入させることにより、外殻１２及びカバー１１の断熱性を高めるように構成してもよい。
【００５０】
（第４実施形態）
第４実施形態に係るマウス１０は充電機能を備える。図８は、第４実施形態に係るマウス１０の外観を示す斜視図である。図９は、図８のマウス１０のＢ−Ｂ断面図である。マウス１０は発電機能を備えてもよい。具体的には、電源部４０は二次電池とソーラーパネル２５と充電回路とを有する。二次電池はリチウムイオン電池等である。ソーラーパネル２５は屈曲性を有してもよく、外殻１２とカバー１１との間の外殻１２の上面の全域にわたって配置される。ソーラーパネル２５は太陽光および蛍光灯等の光エネルギーから電力を発生する。ソーラーパネル２５により発生された電力は充電回路を介して二次電池に充電される。二次電池に充電された電力は、制御部３９等の各部に供給される。マウス１０が発電機能を備えることは、マウス１０にワイヤレス機能を付与し、マウス１０の使用環境の拡大に寄与する。なお、ソーラーパネル２５は外殻１２上面の一部分に配置されていてもよい。例えば、外殻１２の上面の、クリックボタン１５，１６の表面を除いた後方部分にソーラーパネル２５を配置してもよい。ソーラーパネル２５をクリックボタン１５，１６の表面を除いた部分に配置することで、クリックボタン１５，１６が繰り返し押下されることによる、ソーラーパネル２５の表面の損傷やソーラーパネル２５の強度劣化を抑制することができる。
【００５１】
また、マウス１０は非接触充電機能を備えてもよい。具体的には、電源部４０は二次電池と非接触充電部とを有する。非接触充電の充電方式は、電磁誘導を用いた電磁誘導方式、電磁界の共鳴現象を用いた電磁界共鳴方式、マウス１０に備えられたアンテナで受信した電磁波を変換して電力を得る電波方式の何れの方式でよい。また、マウス１０に備えられた圧電素子で受信した超音波を変換して電力を得る超音波方式でもよい。さらに、マウス１０に内蔵されたソレノイドコイルの中心軸に沿って磁石を往復させたときの磁界変化を利用した振動方式でもよい。
【００５２】
前述の無線送信とこの無線給電機構により、外界との遮断が機能的に確立し、カバー１１の被覆の物理的遮断が加わって防水性、防塵性、防汚性、耐衝撃性などを得、さらには各層の断熱性が加わってオートクレーブ環境下などでの使用が可能となり高圧蒸気滅菌が可能となる。
【００５３】
（第５実施形態）
次に、本発明の第５実施形態について説明する。図１０は、第５実施形態に係るマウスの斜視図、図１１は、図１０のＣ−Ｃ断面図、図１２は、図１０のＤ−Ｄ断面で切断した表面配置型防水スイッチを、タッチピースの押し込み状態で示す拡大断面図である。
【００５４】
第５実施形態においては、マウス１０の外殻１２を構成する筐体１３と底部１４のうち、筐体１３のみがカバー１１で覆われている。これらの筐体１３と底部１４、さらにはカバー１１の材料は、上記実施形態において説明した材料を使用することができるので、ここでは再説明は省略する。
【００５５】
本実施形態における筐体１３の外側表面には、表面配置型の防水スイッチ４１が設けられている。この防水スイッチ４１は、押し込み方式の構造であり、ゴム等で作られた弾性のタッチピース４２を厚さ方向に押すことにより、図１１の位置から、図１２の押し込み位置に動作させることができ、図１２の位置に来た時には、筐体１３の外側表面と接触し、それにより、例えば筐体１３に形成した導電部に接触することで、マウス１０の作動を開始することができるようになっている。勿論、タッチピース４２を押し込むことで、筐体１３を弾性変形させることにより、図示しない部材(例えば、上記実施形態におけるクリックロッド等)を押してマウス１０を作動させることができる。その際のタッチピース４２とマウス１０の作動部分の電気的接続は、無線型又は有線型のいずれであってもよく、場合によっては、上記実施形態と同様に、図示しないクリックロッドを外殻１２の内部空間に設置する構造でもよい。
【００５６】
一方、第５実施形態では、底部１４に、筐体１３と底部１４よりなる外殻１２の内部空間の圧力を調整するための圧力調整弁機構４３が設けられている。すなわち、圧力調整機構４３は、オートクレーブなどの高温滅菌処理過程などで加わる熱により、外殻１２の内部空間の圧力が所定値よりも高くなって来た時等において、内部空間の圧力をマウス１０の外部に自動的に排出する一方向弁である減圧弁４４と、高温滅菌など終了後、冷却により内部圧力が低下することに応じて外殻１２の内部空間に空気を取り込む際に、必要に応じて手動で作動される開閉弁４５とからなる。この圧力調整弁機構４３を設けたことにより、マウス１０内の圧力が使用環境により変動した時に、必要に応じて、外殻１２の内部空間の圧力を最適な状態に保つことができ、マウス１０の内部に設置される電子機器類の動作環境を最適に維持できる。
【００５７】
本実施形態においても、外殻１２の内部空間には、回路基板１９、マウスの移動を検知する検知回路等を有する位置検出部３５、検知回路で検知した移動に関するデータとスイッチの操作に関するデータとを外部に無線送信するための送信回路を有する無線通信部３７、各種の制御を行う制御部３９、電源部４０等の電子機器類が設置されている。回路基板１９の上には、位置検出部３５、無線通信部３７、制御部３９が搭載されている。電源部４０は、バッテリー押え（図示せず）により、底部１４の上に固定されている。
【００５８】
また、位置検出部３５に関連して、底部１４には、透光可能なレンズ４７が密封用のパッキン４８を介して取り付けられ、マウス１０の移動を光で検知するためのイメージセンサとしての発光素子４９も設けられている。
【００５９】
なお、図１１に二点鎖線で示すように、カバー１１は、筐体１３のみならず、底部１４を含めて、外殻１２の全体を覆う構造としてもよく、その場合、外殻１２又は底部１４における減圧弁４４と開閉弁４５との開口部分を除いて、マウス１０の外側全体がカバー１１で覆われることになる。この構造では、カバー１１のうち、発光素子４９からの発光を外部に通すため、発光素子４９に対応する部分のみを透明部分等の透光部分とするか、カバー１１の全体を透明材料ないし透光材料で作ることができる。
【００６０】
第１実施形態では、マウス１０の基本構造及び接着シートを介さないカバー１１と外殻１２の接合や、断熱、防水などについて説明した。第２実施形態では、カバー１１を外殻１２に対し接着シートを介して固定するための構造や、断熱、耐圧、防水などについて説明した。第３実施形態では、電子回路部分周囲の断熱性を有するマウス１０の構成を説明した。第４実施形態では、発電機能を備えたマウス１０と非接触充電機能を備えたマウス１０との構成を説明した。さらに、第５実施形態では、減圧弁及び開閉弁よりなる圧力調整弁機構や、表面配置型防水スイッチ等の機能を付加したマウス１０について説明した。マウス１０は、これら実施形態で説明した機能、構造を、使用環境に応じて自由に組み合わせて構成することができる。
【００６１】
また、本発明の実施形態はマウスに限定されない。つまり、カバー１１で、ジョイスティック、キーボード等の入力デバイスを覆うことは、これらの入力デバイスに本実施形態に係るマウス１０と同様の効果を与える。例えばキーボードは、カバー１１によりその内部を、液体、さらに好ましくは気体に関して外界と完全に遮蔽される。また、手術室内のＣＴ（Computed Tomography：コンピュータ断層撮影）装置、ＭＲＩ（Magnetic Resonance Imaging：磁気共鳴画像診断装置）、Ｘ線撮影装置、表示デバイス等の操作パネルをカバー１１で覆うことは、操作パネルに本実施形態に係るマウス１０と同様の効果を与える。
【００６２】
本発明は上述した実施の形態に限定されるものではなく、請求項に示した範囲で種々の変更が可能であり、異なる実施の形態にそれぞれ開示された技術的手段を適宜組み合わせて得られる実施の形態についても、本発明の技術的範囲に含まれる。さらに、各実施の形態にそれぞれ開示された技術的手段を組み合わせることにより、新しい技術的特徴を形成できる。
【符号の説明】
【００６３】
１０…マウス、１１…カバー、１２…外殻、１３…筐体、１４…底部、１５，１６…クリックボタン、１７，１８…クリックロッド、１９…回路基板、３１，３３…スイッチ、３５…位置検出部、３７…無線通信部、３９…制御部、４０…電源部、４３…圧力調整弁機構、４４…減圧弁、４５…開閉弁、４９…発光素子。
【図１】
2017079049.tif 000003
【図２】
2017079049.tif 000004
【図３】
2017079049.tif 000005
【図４】
2017079049.tif 000006
【図５】
2017079049.tif 000007
【図６】
2017079049.tif 000008
【図７】
2017079049.tif 000009
【図８】
2017079049.tif 000010
【図９】
2017079049.tif 000011
【図１０】
2017079049.tif 000012
【図１１】
2017079049.tif 000013
【図１２】
2017079049.tif 000014
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
高温・高圧・水蒸気による滅菌装置における処理に繰り返し耐えることができる、耐熱性・耐圧性及び防水性を有するマウスであって、
前記マウスの外形を形成する硬質樹脂製の外殻と、
前記マウスを動作させるスイッチと、
前記外殻の内部空間内に配置された電源、前記外殻の内部空間内に配置され、前記マウスの移動を検知する位置検出部、及び前記外殻の内部空間内に配置され、前記位置検出部及び前記スイッチからの信号を外部に無線送信する無線通信部を有する電子機器と、
を具備し、
前記電子機器を断熱シートで包囲してなる、
マウス。
【請求項２】
前記外殻の外表面の全体又は一部の外側を覆う樹脂製のカバーを備える請求項１記載のマウス。
【請求項３】
前記断熱シートは、前記外殻と前記カバーとの間に配置される、請求項２記載のマウス。
【請求項４】
前記断熱シートは、二重あるいは三重である、請求項１記載のマウス。
【請求項５】
前記外殻は、前記内部空間内に、前記電子機器を保持する底部と、前記底部に被せられる筐体と、からなる、請求項１記載のマウス。
【請求項６】
前記外殻の外表面の全体又は一部の外側を覆う樹脂製のカバーを備え、前記カバーは、前記外殻の外表面のうち、前記筐体の外表面を覆う、請求項５記載のマウス。
【請求項７】
前記電源は二次電池であり、
前記電源を充電するための非接触型充電回路をさらに備えることを特徴とする請求項１記載のマウス。
【請求項８】
前記電源は二次電池であり、
前記外殻と前記カバーとの間に配置された少なくとも一のソーラーパネルと、前記ソーラーパネルの出力で前記電源を充電する充電回路とをさらに備えることを特徴とする請求項２記載のマウス。
【請求項９】
前記スイッチは、前記外殻の外表面に設置され、外側から押し込むことにより前記マウスを操作させる表面配置型の防水スイッチである請求項１記載のマウス。
【請求項１０】
前記外殻又は前記カバーの少なくとも一方には、断熱粒が混入されている請求項２記載のマウス。
【請求項１１】
前記外殻で区画された内部空間に絶縁性樹脂が充填されている請求項１記載のマウス。
【請求項１２】
高温・高圧・水蒸気による滅菌装置における処理に繰り返し耐えることができる、耐熱性・耐圧性および防水性を有するマウスであって、
前記マウスの移動を検知する位置検出部、前記マウスを動作させる少なくとも一つのスイッチ、前記位置検出部で検知したマウスの移動に関するデータと前記スイッチの操作に関するデータとを外部に無線送信するための無線通信部が装備された回路基板を電源とともに保持する底部と、
前記回路基板と前記電源とを収容する状態で前記底部に被せられ、圧力及び温度の変化に対する耐性及び強度を有する硬質樹脂製の筐体と、
前記筐体の上部に配置され、前記スイッチを操作するための少なくとも一つのボタンと、
前記底部、前記筐体及び前記ボタンの外表面全体を隙間無く一体として被覆するカバーと、
を具備し、
前記位置検出部及び前記無線通信部を装備した前記回路基板と、前記電源と、を断熱シートで包囲してなる、
マウス。
【請求項１３】
高温・高圧・水蒸気による滅菌装置における処理に繰り返し耐えることができる、耐熱性・耐圧性および防水性を有するマウスであって、
前記マウスの外形を形成する外殻と、
前記外殻の全体又は一部の外側を覆うカバーと、
前記カバーの表面に配置され、前記マウスを動作させるスイッチと、
前記外殻の内部空間内に配置された電源、前記外殻の内部空間内に配置され、前記マウスの移動を検知する位置検出部、及び前記外殻の内部空間内に配置され、前記位置検出部及び前記スイッチからの信号を外部に無線送信する無線通信部を有する電子機器と、
前記外殻に設けられ、前記内部空間の圧力を調整する圧力調整弁機構と、
からなり、
前記電子機器を断熱シートで包囲してなる、
マウス。
【手続補正２】
【補正対象書類名】明細書
【補正対象項目名】００２１
【補正方法】変更
【補正の内容】
【００２１】
外殻１２を構成する筐体１３、底部１４には、筐体１３用に使用する樹脂よりも耐熱性、強度のあるガラスファイバよりなる棒状材料あるいはアンダーカットを形成し易い形状の固形物を混入し成形する。また、これに用いられるガラスファイバは、筐体１３の主材料との接着性を得るためのシランカップリング処理をされていてもよい。次に、筐体１３の外面の全部あるいは一部を、レーザーや電磁波、光、炎、輻射熱、伝導熱などで溶かしその表層を除去する。これにより、内包されていたガラスファイバなどが表面に露出する。ランダムに露出したガラスファイバは、この後、カバー１１を二重成形し、筐体１３に接合させるのに十分な嵌合力を持つ。
【手続補正３】
【補正対象書類名】明細書
【補正対象項目名】００５６
【補正方法】変更
【補正の内容】
【００５６】
一方、第５実施形態では、底部１４に、筐体１３と底部１４よりなる外殻１２の内部空間の圧力を調整するための圧力調整弁機構４３が設けられている。すなわち、圧力調整弁機構４３は、オートクレーブなどの高温滅菌処理過程などで加わる熱により、外殻１２の内部空間の圧力が所定値よりも高くなって来た時等において、内部空間の圧力をマウス１０の外部に自動的に排出する一方向弁である減圧弁４４と、高温滅菌など終了後、冷却により内部圧力が低下することに応じて外殻１２の内部空間に空気を取り込む際に、必要に応じて手動で作動される開閉弁４５とからなる。この圧力調整弁機構４３を設けたことにより、マウス１０内の圧力が使用環境により変動した時に、必要に応じて、外殻１２の内部空間の圧力を最適な状態に保つことができ、マウス１０の内部に設置される電子機器類の動作環境を最適に維持できる。